(57)【特許請求の範囲】
【請求項１】
イベントで用いられるネットワーク構築システムであって、
第１端末と、
第２端末と、
制御装置と、
を備え、
前記制御装置は前記第１端末及び前記第２端末を制御し、
前記第２端末は前記第１端末を経由して通信する第１動作と、
前記第１端末は前記第２端末を経由して通信する第２動作と、
を行い、
前記制御装置は、前記第１動作及び第２動作のための可視光による設定情報に加えて、前記第１及び第２端末毎にユニークな前記イベントの演出上の指示を含むコンテンツを前記第１及び前記第２端末に送信し、
前記設定情報は、第１設定情報、第２設定情報、第３設定情報及び第４設定情報を含み、
前記第１設定情報は、前記第１端末を親局として動作させる情報及び前記第２端末を子局として動作させる情報を含み、前記子局は、前記親局を経由して通信し、前記親局は、前記子局を経由せずに通信し、
前記第２設定情報は、前記第２端末を前記親局として動作させた場合の親局番号を含み、
前記第３設定情報は、前記第２端末を前記子局として動作させた場合の子局番号を含み、
前記第４設定情報は、前記子局が接続する前記親局の親局番号を含み、
前記第１端末及び前記第２端末のそれぞれは、親局動作部、子局動作部及び切替部を含む、
前記制御装置は、前記設定情報を、前記第１端末及び前記第２端末ごとに時間多重して送信し、
前記制御装置は、前記第１動作及び前記第２動作を周期的に繰り返す動作が可能であり、
前記制御装置は、前記設定情報により、複数の前記第１端末を前記親局に設定し、複数の前記第２端末を複数の前記第１端末のそれぞれの前記子局として設定し、スター型のネットワークを構築する、ネットワーク構築システム。
【請求項２】
第３端末をさらに備え、
前記制御装置は、前記第３端末を制御し、
前記第１動作は前記第３端末が前記第１端末及び前記第２端末を経由せずに通信する動作をさらに有し、
前記第１動作における前記第１端末と前記第３端末との間の距離は、前記第１端末と前記第２端末との間の距離の２倍以上である請求項１記載のネットワーク構築システム。
【請求項３】
前記設定情報は、前記制御装置から送信された第１信号及び第２信号を含み、
前記第１信号により、前記第１端末を前記親局とする第１機能が設定され、前記第２信号により、前記第２端末を前記子局とする第２機能が設定される請求項１または２に記載のネットワーク構築システム。
【請求項４】
前記第１信号は、前記第１端末に送信され前記第２端末に送信されず、前記第２信号は、前記第２端末に送信され前記第１端末に送信されない請求項３記載のネットワーク構築システム。
【請求項５】
前記第１機能は、前記第１機能が設定された第１時刻から第１期間が経過後に停止し、前記第２機能は、前記第２機能が設定された第２時刻から前記第１期間が経過後に停止する請求項３または４に記載のネットワーク構築システム。
【発明の詳細な説明】
【技術分野】
【０００１】
本発明の実施形態は、ネットワーク構築システムに関する。
【背景技術】
【０００２】
複数の端末に情報を提供するネットワークシステムがある。例えば、イベントなどにおいては、多くの参加者が狭い場所に集まる。このような場合に、適正な接続が困難になる場合がある。
【先行技術文献】
【特許文献】
【０００３】
【特許文献１】特開２０１４−２１１６７７号公報
【発明の概要】
【発明が解決しようとする課題】
【０００４】
本発明の実施形態は、良好な接続を可能とするネットワーク構築システムを提供する。
【課題を解決するための手段】
【０００５】
実施形態によれば、ネットワーク構築システムは、イベントで用いられる。前記ネットワーク構築システムは、第１端末と、第２端末と、制御装置と、を備え、前記制御装置は前記第１端末及び前記第２端末を制御し、前記第２端末は前記第１端末を経由して通信する第１動作と、前記第１端末は前記第２端末を経由して通信する第２動作と、を行う。前記制御装置は、前記第１動作及び第２動作のための可視光による設定情報に加えて、前記第１及び第２端末毎にユニークな前記イベントの演出上の指示を含むコンテンツを前記第１及び第２端末に送信する。前記設定情報は、第１設定情報、第２設定情報、第３設定情報及び第４設定情報を含む。前記第１設定情報は、前記第１端末を親局として動作させる情報及び前記第２端末を子局として動作させる情報を含み、前記子局は、前記親局を経由して通信し、前記親局は、前記子局を経由せずに通信する。前記第２設定情報は、前記第２端末を前記親局として動作させた場合の親局番号を含む。前記第３設定情報は、前記第２端末を前記子局として動作させた場合の子局番号を含む。前記第４設定情報は、前記子局が接続する前記親局の親局番号を含む。前記第１端末及び前記第２端末のそれぞれは、親局動作部、子局動作部及び切替部を含む。前記制御装置は、前記設定情報を、前記第１端末及び前記第２端末ごとに時間多重して送信する。前記制御装置は、前記第１動作及び前記第２動作を周期的に繰り返す動作が実施可能である。前記制御装置は、前記設定情報により、複数の前記第１端末を前記親局に設定し、複数の前記第２端末を複数の前記第１端末のそれぞれの前記子局として設定し、スター型のネットワークを構築する。
【図面の簡単な説明】
【０００６】
【図１】（а）及び（ｂ）は、実施形態に係るネットワーク構築システムを例示する模式図である。
【図２】設定情報を例示する図である。横軸は時間Ｔである。
【図３】（а）及び（ｂ）は、端末の設定情報を例示した図である。
【図４】端末を例示するブロック図である。
【発明を実施するための形態】
【０００７】
以下、図面を参照しつつ、本発明の実施形態について説明する。
なお、本願明細書と各図において、既出の図に関して前述したものと同様の要素には同一の符号を付して詳細な説明は適宜省略する。
（実施形態）
図１（а）及び図１（ｂ）は、本実施形態に係るネットワーク構築システムを例示する模式図である。
【０００８】
図１（а）に示すように、ネットワーク構築システム１１０は、ネットワーク構築装置１０及び複数の端末Ｍ２０を含む。ネットワーク構築装置１０は、設定情報生成部１１、送信部１２及び制御部１３を含む。設定情報生成部１１は、複数の端末Ｍ２０に設定情報３０を生成する。送信部１２は、設定情報生成部１１において生成された設定情報３０を、例えば、無線信号に変換した後、複数の端末Ｍ２０に送信する。送信部１２は、例えば、指向性アンテナを用いて、複数の端末Ｍ２０の存在する方向に送信する。制御部１３は、設定情報生成部１１において生成された設定情報３０を送信する。送信は、例えば、複数回送信する。送信は、例えば、周期的に送信する。周期は、例えば、１秒毎に送信する。
【０００９】
図１（ｂ）に示すように、複数の端末Ｍ２０が空間内に存在している。端末２０の位置情報は、例えば、３点測量により測定され、ネットワーク構築装置１０に通知されている。本実施例においては、説明をわかりやすくするため、複数の端末Ｍ２０が、例えば、グリッドＧ１１〜Ｇ５５上付近に存在する場合を例示する。
ネットワーク構築装置１０から複数の端末Ｍ２０に設定情報３０を送信する。端末Ｍ２０の位置情報がネットワーク構築装置１０に通知されており、ネットワーク構築装置１０は、端末Ｍ２０の存在する方向に設定情報３０を送信することができる。設定情報３０には、第１設定情報３１、第２設定情報３２、第３設定情報３３及び第４設定情報３４が含まれる。それぞれの端末毎に設定情報３０が設けられている。例えば、設定情報３０には、端末Ｍ１１用の設定情報３０Ｍ１１、端末Ｍ２２用の設定情報３０Ｍ２２等が設けられている。
【００１０】
第１設定情報３１は、端末Ｍ２０を親局Ｆ１として動作させる情報及び端末Ｍ２０を子局Ｆ２として動作させる情報を含む。子局Ｆ２は、親局Ｆ１を経由して通信する。親局Ｆ１は、子局Ｆ２を経由せずに通信する。例えば、親局Ｆ１として動作させる場合は、第１設定情報３１に「１」を設定し、子局Ｆ２として動作させる場合は「０」を設定する。第２設定情報３２は、端末Ｍ２０を親局Ｆ１として動作させた場合の親局番号である。第３設定情報３３は、端末Ｍ２０を子局Ｆ２として動作させた場合の子局番号である。第４設定情報３４は、子局Ｆ２が接続する親局Ｆ１の親局番号である。
【００１１】
図２は、設定情報を例示する図である。横軸は時間Ｔである。
図２に示すように、設定情報３０は、それぞれの端末Ｍ２０ごとに時間多重されている。例えば、端末Ｍ１１用の設定情報３０Ｍ１１が送信される。次に、端末Ｍ１２用の設定情報３０Ｍ１２が送信される。
【００１２】
図３（а）及び図３（ｂ）は、端末の設定情報を例示した図である。
図３（а）及び図３（ｂ）において、親局Ｆ１は、第１親局АＰ１〜第ｎ親局АＰｎ（ｎは、１以上の整数である）などを含む。子局Ｆ２は、子局ｓｔ１−１〜子局ｓｔｍ−ｋ（ｍは、１以上の整数であり、ｋは、１以上の整数である）などを含む。また、親局Ｆ１とそれに接続される子局Ｆ２との間を点線により接続して示している。
【００１３】
図３（а）に示すように、例えば、端末Ｍ２２には「АＰ１」が示されている。これは、端末Ｍ２２を親局Ｆ１として動作させ、親局番号は「１」であることを示している。この設定にするため、設定情報３０内の第１設定情報３１には「１」が設定され、第２設定情報３２に親局番号として「１」が設定される。「１」が設定された第１設定情報３１は、信号Ｓ１としてネットワーク構築装置１０から端末Ｍ２２に送信される。
【００１４】
また、端末Ｍ１１には「ｓｔ１−１」が示されている。これは、端末Ｍ１１を子局Ｆ２として動作させ、子局番号は「１」であることを示し、接続する親局番号は「１」であることを示している。この設定にするため、設定情報３０内の第１設定情報３１には「０」が設定され、第３設定情報３３に子局番号「１」が設定され、第４設定情報３４に子局Ｆ２が接続する親局番号として「１」が設定される。「０」が設定された第１設定情報３１は、信号Ｓ２としてネットワーク構築装置１０から端末Ｍ２２に送信される。
【００１５】
図４は、端末Ｍ２０を例示するブロック図である。
図４に示すように、端末Ｍ２０は、親局動作部４１、子局動作部４２及び切替部４３を含む。端末Ｍ２０は、ネットワーク構築装置１０から送信された設定情報３０を受信する。端末Ｍ２０は、設定情報３０内の第１設定情報３１が「１」の場合には、切替部４３により、親局動作部４１を動作させ、端末Ｍ２０を親局Ｆ１として動作させる。また、端末Ｍ２０は、設定情報３０内の第１設定情報３１が「０」の場合には、切替部４３により、子局動作部４２を動作させ、端末Ｍ２０を子局Ｆ２として動作させる。
例えば、端末Ｍ１１は子局Ｆ２として動作し、端末Ｍ２２を経由して通信する。この動作を第１動作АＴ１という。また、端末Ｍ２２が子局Ｆ２として動作し、端末Ｍ１１を経由して通信する。この動作を第２動作АＴ２という。
【００１６】
図３（ｂ）は、図３（а）に示す設定情報の次の設定情報である。例えば、図３（а）に示す設定情報の１秒後に再設定する場合の設定情報である。
図３（ｂ）に示すように、例えば、端末Ｍ２２には「ｓｔ２−１」が示されている。これは、端末Ｍ２２を子局Ｆ２として動作させ、子局番号は「１」であることを示し、接続する親局番号は「２」であることを示している。このようにして、端末Ｍ２２の設定を変更している。
【００１７】
設定情報３０の第１設定情報３１〜第４設定情報３４までを変更し、端末Ｍ２０に対して送信することにより、端末Ｍ２０の設定を更新する。
なお、図３（а）の端末Ｍ２２と図３（ｂ）の端末Ｍ２２とは同一の端末とは限らない。設定情報３０を更新する間に、別の端末がグリッドＧ２２上に移動し、端末Ｍ２２となってもよい。
【００１８】
また、電波干渉を低減させるため、親局Ｆ１の近くに別の親局Ｆ１は設定しない。例えば、図３（а）に示すグリッドＧ２２上の端末Ｍ２２を親局Ｆ１に設定した場合には、グリッドＧ１１、Ｇ１２、Ｇ１３、Ｇ２１、Ｇ２３、Ｇ３１、Ｇ３２及びＧ３３上の端末Ｍ２０には親局Ｆ１を設定しない。２つの親局Ｆ１同士の距離は、例えば、６メートル以上である。
【００１９】
また、親局Ｆ１の近くにその親局Ｆ１に接続する子局Ｆ２を設定する。親局Ｆ１と、その親局Ｆ１に接続する子局Ｆ２の距離は、例えば、３メートル以内である。２つの親局Ｆ１同士の距離は、親局Ｆ１とその親局Ｆ１に接続する子局Ｆ２の距離の、例えば、２倍以上である。
【００２０】
また、設定情報３０は、ネットワーク構築装置１０により周期的に変更され、ネットワークが再構築される。
【００２１】
また、端末Ｍ２０に設定された設定情報３０は、例えば、設定情報３０が設定された時刻Ｔ１から一定期間Ｐの経過後にタイマーにより解除される。
また、コンサート会場等において端末Ｍ２０に設定された設定情報３０は、例えば、会場出口に設けられた設定解除装置により解除されてもよい。
【００２２】
本実施形態の効果について説明する。
本実施形態においては、設定情報３０により複数の端末に親局Ｆ１を設定し、それら複数の親局Ｆ１のそれぞれの周囲に子局Ｆ２を設定したスター型のネットワークを構築する。このようなスター型のネットワークにおける親局Ｆ１の処理量は、１つの端末Ｍ１２に親局Ｆ１を設定しそれ以外の端末の全てを子局Ｆ２に設定する場合に比べて少ない。
【００２３】
本実施形態においては、１つの親局Ｆ１が接続する子局Ｆ２の数が、１つの端末に親局Ｆ１を設定しそれ以外の端末の全てを子局Ｆ２に設定する場合に比べて少ないからである。これにより、通信の遅延を少なくし安定した通信を実現することができる。
【００２４】
また、本実施形態においては、ネットワーク構築装置１０内の設定情報生成部１１が設定情報３０を周期的に更新し端末Ｍ２０に対して送信することにより、通信を接続し続けやすくなる。例えば、前回の設定において親局Ｆ１として設定された端末Ｍ２０が、設定後、電波の届かない場所に移動した場合にも、再設定により子局Ｆ２の近くに親局Ｆ１が設定されるため、通信を接続し続けることができる。
【００２５】
なお、本実施形態においては、図１（ｂ）に示すように、２５台の端末を例に示したが、これには限定されない。例えば、６万台の端末が存在するコンサート会場のような場合、２５台よりも多くの端末に設定情報３０を送信してもよい。また、コンサート会場を複数のエリアに分割し、各エリア内の端末に対して設定情報を送信してもよい。
【００２６】
また、電磁波などの無線により設定情報３０を送信する代わりに、例えば、音波、レーダー、赤外線及び、可視光を含めた光などにより設定情報３０を送信してもよい。
【００２７】
また、本実施形態は、端末Ｍ２０が高密度に集中するような場合においても適用可能である。
また、本実施形態は、屋外などにおいて、設定情報３０を送信する範囲Ｒが変動したり、設定情報３０を送信する範囲Ｒが特定の範囲内に限定されない場合でも適用可能である。例えば、道路脇でマラソン選手を応援する人が所有する端末Ｍ２０に先導車に搭載されたネットワーク構築装置１０から設定情報３０を送信する場合、設定情報３０を送信する範囲Ｒは先導車が移動するのに従って変動する。このような場合、範囲Ｒ１内の端末Ｍ２０に先導車に搭載されたネットワーク構築装置１０から設定情報３０を送信する。先導車が範囲Ｒ２に移動する。範囲Ｒ２内の端末Ｍ２０に先導車に搭載されたネットワーク構築装置１０から設定情報３０を送信する。このように、先導車が移動して範囲Ｒが変動するごとに、設定情報３０を端末Ｍ２０に送信して双方向性の高いネットワークを構築してもよい。
【００２８】
また、設定情報３０に加えて、端末Ｍ２０の位置情報、端末Ｍ２０の時刻を合わせるための時刻情報及び各端末Ｍ２０の位置情報に基づいたデータ等をネットワーク構築装置１０から端末Ｍ２０に送信してもよい。なお、端末Ｍ２０の位置情報は、例えば、３点測量により求められる。
【００２９】
また、設定情報３０に加えて、端末Ｍ２０毎にユニークなコンテンツを、ネットワーク構築装置１０から端末Ｍ２０に送信してもよい。コンテンツは、端末Ｍ２０を所有している人の行動を変えるための指示である。コンテンツは、例えば、端末Ｍ２０を所有してイベントに参加している参加者のイベント中での踊り方の指示などであり、イベントの演出上の指示である。
【００３０】
また、イベント終了後のコンテンツを入手するための情報を、予め、イベント中に、ネットワーク構築装置１０から端末Ｍ２０に送信しておいてもよい。
【００３１】
以上、説明した実施形態によれば、良好な接続を可能とするネットワーク構築システムを提供することができる。
【００３２】
以上、本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明及びその等価物の範囲に含まれる。
【符号の説明】
【００３３】
１０：ネットワーク構築装置、１１：設定情報生成部、１２：送信部、１３：制御部、３０：設定情報、３１：第１設定情報、３２：第２設定情報、３３：第３設定情報、３４：第４設定情報、４１：親局動作部、４２：子局動作部、４３：切替部、３０Ｍ１１：端末Ｍ１２用の設定情報、３０Ｍ１２：端末Ｍ１２用の設定情報、Ｆ１：親局、Ｆ２：子局、Ｇ１１：グリッド、Ｇ２２：グリッド、Ｍ１１：端末、Ｍ１３：端末、Ｍ１５：端末、Ｍ２０：端末、Ｍ２２：端末、Ｔ：時間、Ｓ１：信号、Ｓ２：信号、Ｔ１：時刻、Ｐ：一定期間、Ｒ：範囲、Ｒ１：範囲、Ｒ２：範囲
【図１】
0006510896.tif 000002
【図２】
0006510896.tif 000003
【図３】
0006510896.tif 000004
【図４】
0006510896.tif 000005